(57)【要約】【課題】非使用時には、背凭れ部の側部又は後部までスライドさせることのできる腕用マッサージユニットを搭載した椅子型マッサージ機を提供する。【解決手段】被施療者の腰掛ける座部20と、座部の後端に配備され、被施療者が凭れる背凭れ部30と、座部の左右から背凭れ部の側部まで延びて配備され、被施療者の肘を置く肘掛け部50と、肘掛け部上に配備され、被施療者の前腕にマッサージを施す腕用マッサージユニット60と、を有する椅子型マッサージ機において、肘掛け部には、肘掛け部に沿って配備され、後端が背凭れ部の側部又は後部まで延びるスライド機構70を有しており、腕用マッサージユニットは、スライド機構にスライド可能に配備されたスライド部材76に搭載され、腕用マッサージユニットは、肘掛け部に対して、背凭れ部の側部又は後部まで後退可能とした。【選択図】図４
2010082058.tif 000002
【特許請求の範囲】
【請求項１】
被施療者の腰掛ける座部と、
座部の後端に配備され、被施療者が凭れる背凭れ部と、
座部の左右から背凭れ部の側部まで延びて配備され、被施療者の前腕を置く肘掛け部と、
肘掛け部上に配備され、被施療者の前腕にマッサージを施す腕用マッサージユニットと、
を有する椅子型マッサージ機において、
肘掛け部には、肘掛け部に沿って配備され、後端が背凭れ部の側部又は後部まで延びるスライド機構を有しており、
腕用マッサージユニットは、スライド機構にスライド可能に配備されたスライド部材に搭載され、
腕用マッサージユニットは、肘掛け部に対して、背凭れ部の側部又は後部まで後退可能となっていることを特徴とする椅子型マッサージ機。
【請求項２】
スライド機構は、肘掛け部に配備されたレールであり、スライド部材は、レールにスライド可能に嵌まるローラである請求項１に記載の椅子型マッサージ機。
【請求項３】
腕用マッサージユニットには、被施療者の前腕を置いたときに、被施療者の手が当たる部分に、被施療者の生理情報を検知するセンサを有する請求項１又は請求項２に記載の椅子型マッサージ機。
【発明の詳細な説明】
【技術分野】
【０００１】
本発明は、被施療者の前腕にマッサージを施す腕用マッサージユニットを具えた椅子型マッサージ機に関するものであり、より具体的には、腕用マッサージユニットを前後にスライドさせることのできる椅子型マッサージ機に関するものである。
【背景技術】
【０００２】
被施療者が腰掛けた状態でマッサージを受けることのできる椅子型マッサージ機において、被施療者の前腕や手首、手(以下総称して「前腕等」と言う)にマッサージを施すことのできる腕用マッサージユニットを搭載した椅子型マッサージ機が知られている(例えば、特許文献１参照)。
【０００３】
特許文献１の椅子型マッサージ機では、腕用マッサージユニットを被施療者の前腕等を置く肘掛け部に配備しており、被施療者が腕用マッサージユニットに前腕等を挿入することで、腕用マッサージユニットに配備されたエアバッグ等によって、前腕等にマッサージが施される。
【０００４】
【特許文献１】特開２００３−１８０７７４号公報
【発明の開示】
【発明が解決しようとする課題】
【０００５】
椅子に腰掛けたり、立ち上がったりする場合に、腕用マッサージユニットが邪魔になることがある。また、被施療者が椅子型マッサージ機を通常の椅子として使用する場合や、前腕等のマッサージを必要としない場合にも、腕用マッサージユニットが邪魔になったり、圧迫感を受けることがあり、リラックス感が失われることがあった。
【０００６】
本発明の目的は、非使用時には、背凭れ部の側部又は後部までスライドさせることのできる腕用マッサージユニットを搭載した椅子型マッサージ機を提供することである。
【課題を解決するための手段】
【０００７】
被施療者の腰掛ける座部と、
座部の後端に配備され、被施療者が凭れる背凭れ部と、
座部の左右から背凭れ部の側部まで延びて配備され、被施療者の前腕等を置く肘掛け部と、
肘掛け部上に配備され、被施療者の前腕にマッサージを施す腕用マッサージユニットと、
を有する椅子型マッサージ機において、
肘掛け部には、肘掛け部に沿って配備され、後端が背凭れ部の側部又は後部まで延びるスライド機構を有しており、
腕用マッサージユニットは、スライド機構にスライド可能に配備されたスライド部材に搭載され、
腕用マッサージユニットは、肘掛け部に対して、背凭れ部の側部又は後部まで後退可能とした。
【発明の効果】
【０００８】
腕用マッサージユニットを使わないときに、背凭れ部の側部又は後部まで腕用マッサージユニットを後退させることができる。
従って、椅子に腰掛けたり、立ち上がったりする場合に、腕用マッサージユニットが邪魔になることはない。
また、被施療者が椅子型マッサージ機を通常の椅子として使用する場合や、前腕等のマッサージを必要としない場合にも、腕用マッサージユニットが邪魔にはならないため、圧迫感を受けることもなく、リラックスした状態で快適に使用することができる。
【発明を実施するための最良の形態】
【０００９】
図１は、本発明の椅子型マッサージ機(10)を斜め前方から見た斜視図である。
椅子型マッサージ機(10)は、図に示すように、被施療者の腰掛ける座部(20)と、座部(20)の後端側に配備され、被施療者の背中が当たる背凭れ部(30)、座部(20)の前端側に配備され、被施療者の脚部及び足先を挿入する凹部を有するフットレスト(40)、座部(20)の左右から上向きに突設され、被施療者の前腕を置く肘掛け部(50)(50)を有する。
【００１０】
座部(20)、背凭れ部(30)及びフットレスト(40)は、図示省略する駆動手段によって、夫々独立して揺動可能、角度調節可能となっている。
【００１１】
座部(20)には、エアバッグやバイブレータ等の座部用マッサージ手段(図示せず)を配備することができる。
【００１２】
背凭れ部(30)には、被施療者の肩、背中及び腰を出没することでマッサージする施療指等を具えた背凭れ部用マッサージ手段(32)が、背凭れ部(30)に沿って上下に昇降可能に配備することができる。なお、図１では、背凭れ部(30)の外周のカバーやクッション等の一部を取り外した状態を示しており、背凭れ部(30)に背凭れ部用マッサージ手段(32)の一部が視認できる。
【００１３】
また、フットレスト(40)には、被施療者の脚部及び足先を挿入する凹部の内側面にエアバッグ等のフットレスト用マッサージ手段(図示せず)を配備することができる。
【００１４】
肘掛け部(50)(50)は、前端が座部(20)の先端、後端が背凭れ部(30)の側部又は後部まで延びている。
肘掛け部(50)(50)には、後述する腕用マッサージユニット(60)が搭載されるスライド部材(76)がスライド可能に嵌まるスライド機構(70)が配備される。
スライド機構(70)として、図２乃至図３に示すように、肘掛け部(50)の内部に配備された上下一対のレール(72)(72)を例示することができる。レール(72)(72)は、図２に示すように、肘掛け部(50)の上面の形状に合わせて屈曲して構成することが望ましい。
レール(72)(72)は、図３に示すように、断面が略三角形となっており、１つの頂点どうしが対向するように上下に配備されている。
【００１５】
肘掛け部(50)の側面のカバー(52)には、前記レール(72)(72)の略中間に対応する位置に長孔(53)が開設されている。長孔(53)は、レール(72)(72)に合わせて屈曲した形状となっている。長孔(53)の各端部は、スライド部材(76)を構成する後述するローラ(78)(78)を枢支する軸が当たり、スライド部材(76)のそれ以上のスライドを阻止するストッパの役割をなす。
【００１６】
肘掛け部(50)(50)に配備される腕用マッサージユニット(60)(60)は、図１乃至図３に示すように、被施療者の前腕等が挿入される凹み(62)が内向きに形成されており、該凹み(62)の内面には、図２及び図３に示すように、前腕にマッサージを施すエアバッグ等の腕用マッサージ手段(66)が配備されている。
【００１７】
また、凹み(62)の下面側前端には、被施療者の手の平又は指が当接し、これらから被施療者の脈拍、体温、発汗量等の生理情報を検知するセンサ(64)が配備されており、腕用マッサージユニット(60)の凹み(62)に、前腕等を置くだけの自然な姿勢で生理情報を測定することができる。センサ(64)は、椅子型マッサージ機(10)の図示省略する制御手段に電気的に接続され、得られた生理情報に基づき、被施療者に施すマッサージのコースや強さ等を設定、変更するために用いることができる。
【００１８】
腕用マッサージユニット(60)は、下面にスライド部材(76)が配備されており、前記肘掛け部(50)のスライド機構(70)に嵌まって、肘掛け部(50)上を前後にスライド可能となっている。
【００１９】
スライド部材(76)は、図２及び図３に示すように、スライド機構(70)としてレール(72)(72)を用いた場合、該レール(72)(72)に転動可能に嵌まるローラ(78)(78)を採用することができる。
ローラ(78)(78)は、腕用マッサージユニット(60)の下面から下向きに延びるローラ取付部(79)に軸支されており、レール(72)(72)から脱輪しないように、レール(72)(72)に嵌まる溝が夫々形成されている。
【００２０】
被施療者が、図１及び図２に示すように、腕用マッサージユニット(60)が肘掛け部(50)の前側にある状態から、腕用マッサージユニット(60)を後方に押し下げると、スライド部材(76)であるローラ(78)(78)が、スライド機構(70)であるレール(72)(72)上を転動し、図４及び図５に示すように、腕用マッサージユニット(60)を後退させることができる。腕用マッサージユニット(60)は、肘掛け部(50)のカバー(52)に開設された長孔(53)の端部まで移動すると、ローラ(78)の枢軸が長孔(53)に当たって、それ以上の後退が阻止される。
図５に示すように、腕用マッサージユニット(60)を背凭れ部(30)の側部又は後部まで後退させることで、腕用マッサージユニット(60)を用いない場合や、着座、起立の際に腕用マッサージユニット(60)が邪魔になることはない。
【００２１】
また、図４及び図５に示す位置から、腕用マッサージユニット(60)を前方に引き出すと、スライド部材(76)であるローラ(78)(78)が、スライド機構(70)であるレール(72)(72)上を転動し、図１及び図２に示すように、腕用マッサージユニット(60)を前進させて、前腕等のマッサージを受けることができる。
上記と同様、腕用マッサージユニット(60)は、肘掛け部(50)のカバー(52)に開設された長孔(53)の端部まで移動すると、ローラ(78)の枢軸が長孔(53)に当たって、それ以上の前進が阻止される。
【００２２】
被施療者の腕の長さやマッサージを受けたい患部位置が異なるから、前腕等のマッサージにおいて、図６に示すように、腕用マッサージユニット(60)を前後の任意の位置までスライドさせることで、被施療者が所望する位置にマッサージを施すことができる。
また、図７に示すように、背凭れ部(30)を後傾させた状態で腕用マッサージユニット(60)によるマッサージを受ける場合には、腕用マッサージユニット(60)を所望位置まで後退させればよい。
【００２３】
腕部マッサージユニット(60)を肘掛け部(50)に沿って前後にスライド可能としたことで、腕部マッサージユニット(60)を必要なときに必要な位置で使用することができる利点がある。
また、腕部マッサージユニット(60)を使用しない場合には、背凭れ部(30)の側部又は後部まで腕部マッサージユニット(60)を後退させることができ、腕部マッサージユニット(60)が邪魔にならないから、腕部マッサージユニット(60)により圧迫感を受けることはなく、リラックスした状態で快適に椅子型マッサージ機(10)を使用することができる。
【００２４】
なお、上記では、スライド機構(70)として上下一対のレール(72)(72)、スライド部材(76)としてレール(72)(72)間に嵌まるローラ(78)(78)を用いているが、スライド機構(70)及びスライド部材(76)は、これらに限定されるものではない。
例えば、スライド機構(70)のレール(72)を１本とし、スライド部材(76)として、該レール(72)を上下から挟むように複数のローラ(78)(78)を配備する構成とすることができる。
また、スライド機構(70)を凹溝とし、該凹溝にスライド可能に嵌まるローラをスライド部材(76)として用いることもできる。
さらに、スライド機構(70)又はスライド部材(76)にモータ等の駆動手段を配備し、腕部マッサージユニット(60)のスライドを駆動手段によって行なうようにすることもできる。
【産業上の利用可能性】
【００２５】
本発明は、非使用時には、背凭れ部の側部又は後部までスライドさせることのできる腕用マッサージユニットを搭載した椅子型マッサージ機として有用である。
【図面の簡単な説明】
【００２６】
【図１】本発明の椅子型マッサージ機の斜視図である。
【図２】椅子型マッサージ機の要部側面図である。
【図３】図２の線Ａ−Ａに沿う矢視断面図である。
【図４】腕用マッサージユニットを後退させた状態の椅子型マッサージ機の斜視図である。
【図５】腕用マッサージユニットを後退させた状態の椅子型マッサージ機の要部側面図である。
【図６】被施療者が腰掛けた状態を示す椅子型マッサージ機の説明図である。
【図７】背凭れ部を倒した状態で腕用マッサージユニットを使用している状態を示す説明図である。
【符号の説明】
【００２７】
(10)  椅子型マッサージ機
(20)  座部
(30)  背凭れ部
(40)  フットレスト
(50)  肘掛け部
(60)  腕用マッサージユニット
(64)  センサ
(70)  スライド機構
(72)  レール
(76)  スライド部材
(78)  ローラ
【図１】
2010082058.tif 000003
【図２】
2010082058.tif 000004
【図３】
2010082058.tif 000005
【図４】
2010082058.tif 000006
【図５】
2010082058.tif 000007
【図６】
2010082058.tif 000008
【図７】
2010082058.tif 000009